(57)【要約】【課題】番組送出制御装置（ＳＣＰ）に重複したＩＤを持つ異なったイベントが入力された場合でも、正しくイベントを実行出来るＳＣＰ、及び、送出制御方法を提供する。【解決手段】ＳＣＰ２は、ＤＳ１から入力される番組時刻表かからイベントリストのテーブルＬを作成し、そのテーブルＬに記載されたイベントＩＤに重複があるか無いかを調べ、重複を発見した場合には、重複した「Ａ１００」の後の方のイベントＩＤにＲＸを付加することにより「Ａ１００ＲＸ」リネームしたイベントリストのテーブルＲＴを作成し、リネームしたイベントＩＤを反転表示等してアラームを通知してからテーブルＲＴを参照してリストされたイベントＩＤに従って「Ａ１００」から順に次のイベントＩＤを実行する。【選択図】図４
2009182610.tif 000002
【特許請求の範囲】
【請求項１】
放送番組を電子情報システムの上位のデータサーバから入力される番組時刻情報に示される番組送出の制御に係わる各イベントの情報に基づき番組送出のイベント処理の制御を行う番組自動送出設備の番組送出制御装置（ＳＣＰ）において、
入出力手段と、
前記入力される番組時刻情報から、前記各イベントのＩＤとそれに対応するイベントの実行時刻を読み出して先に実行するイベントから順に前記各イベントのＩＤを並べてイベントリストのテーブルを作成し、
前記テーブルを検索することにより前記イベントＩＤの重複の有無を調べ、重複している場合は、前記遅いもののＩＤをリネームしたテーブルに修正し、前記リネーム後のＩＤをアラーム表示した前記テーブルを前記入出力手段に表示すると共に前記テーブルを参照して前記並んだイベントのＩＤの早いもの順に前記イベント処理の制御を行う制御手段とを
備えることを特徴とする番組送出制御装置。
【請求項２】
前記リネーム後のＩＤは、
リネームされたことを示す記号が付与されると共に、通常箇所と異なった表示形態によりアラーム表示されていることを特徴とする
請求項１記載の番組送出制御装置。
【請求項３】
前記制御手段は、前記アラーム表示された場合、オペレータにより前記入出力手段から前記リネームの確認が入力された場合、または、所定の時間が経過すると前記早いもの順に前記イベント処理の制御を行う事を特徴とする請求項２記載の番組送出制御装置。
【請求項４】
入出力手段と、制御手段とを備え、放送番組を電子情報システムの上位のデータサーバから入力される番組時刻情報に示される番組送出の制御に係わる各イベントの情報に基づき番組送出のイベント処理の制御を行う番組自動送出設備の番組送出制御装置（ＳＣＰ）の送出制御方法において、
前記制御手段は、
前記入力される番組時刻情報から、前記各イベントのＩＤとそれに対応するイベントの実行時刻を読み出して先に実行するイベントから順に前記各イベントのＩＤを並べてイベントリストのテーブルを作成し、
前記テーブルを検索することにより前記イベントＩＤの重複の有無を調べ、重複している場合は、前記遅いもののＩＤをリネームしたテーブルに修正し、前記リネーム後のＩＤをアラーム表示した前記テーブルを前記入出力手段に表示すると共に前記テーブルを参照して前記並んだイベントのＩＤの早いもの順に前記イベント処理の制御を行うことを
特徴とする番組送出制御装置の送出制御方法。
【請求項５】
前記リネーム後のＩＤは、
リネームされたことを示す記号が付与されると共に、通常箇所と異なった表示形態によりアラーム表示されていることを特徴とする
請求項４記載の番組送出制御装置の送出制御方法。
【請求項６】
前記制御手段は、前記アラーム表示された場合、オペレータにより前記入出力手段から前記リネームの確認が入力された場合、または、所定の時間が経過すると前記早いもの順に前記イベント処理の制御を行う事を特徴とする請求項５記載の番組送出制御装置の送出制御方法。
【発明の詳細な説明】
【技術分野】
【０００１】
本発明は、放送局の自動番組送出設備の番組送出制御装置及び送出制御方法に関する。
【背景技術】
【０００２】
商業放送では、番組編成から番組送出、送信までが電子情報システムにより放送業務、処理手順が管理されている。放送番組は、電子情報システムの最上位で管理を行うデータサーバ（以下、ＤＳと称する。）が番組時刻表を、自動番組送出設備（以下、ＡＰＣと称する。）のＳＣＰ（ＳＣｈｅｄｕｌｅ  Ｃｏｎｔｒｏｌ  Ｐｒｏｃｅｓｓｏｒ、番組送出制御装置）へ供給し、ＳＣＰは、番組時刻表から生成した管理制御スケジュールに従ってスタジオ内の素材送出装置やスイッチャを詳細なタイミングで制御する。
【０００３】
図５は、放送局の番組送出制御を行うＡＰＣおよび、素材送出設備の動作を説明する機能ブロック図である。
【０００４】
図５において、ＡＰＣ１００は、それぞれの間が制御ネットワーク６で接続されるＤＳ１、ＳＣＰ（Ｓｃｈｅｄｕｌｅ  Ｃｏｎｔｒｏｌ  Ｐｒｏｃｅｓｓｏｒ、または、番組送出制御装置）２００、スイッチャ３、ＳＣＰ２００やスイッチャ３等の制御コマンドの入力とそれらの動作をモニタするＡＰＣの監視制御卓７で構成される。そして、スイッチャ３と、スイッチャ３に接続される素材伝送ネットワーク４を介して各種の素材（コンテンツ）を入出力する素材送出装置５（＃１〜＃ｎ）の動作をＳＣＰ２００が制御管理する。
【０００５】
ＳＣＰ２００は、ＤＳ１から制御ネットワーク６を介して番組を構成する素材（コンテンツ）とそのコンテンツを送出する素材送出装置５（＃１〜＃ｎ）およびコンテンツの放送予定時刻を含んだ番組送出管理データからなる番組時刻情報を受信する。この供給された番組時刻情報は、原則として、１つの作業手順、即ち、イベント情報単位で構成される。
【０００６】
図６は、ＳＣＰ２００に入力される番組時刻情報をリストした番組時刻表Ｔの一例、図７は、番組時刻表ＴからＳＣＰ２００が生成したイベントリストのテーブルＬの一例である。  
図６において、番組時刻情報Ｔは、ＤＳ１から各イベントの実行時刻（タイミング）とそれに続く固有のイベントの識別番号ＩＤとが対になってＳＣＰ２００に入力される。そしてＳＣＰ２００は、更に詳細なタイミングで各素材送出装置５（＃１〜＃ｎ）やスイッチャ３等を制御する処理手順のイベントリストのテーブルＬを生成する。そして、テーブルＬに記されたイベントの順に従って、スイッチャ始め、カメラ、ＶＴＲ等各種の素材送出装置の起動、停止、スイッチャの切替等のイベント制御を行う。
【０００７】
図６の番組時刻表Ｔでは、先頭の「１０：００：００」にローカルニュースが放送され、番組素材送出装置として「＠ニューススタジオ」から素材として「ローカルニュース」番組が放送（送出）されることがイベントＩＤ「Ａ１００」で記載され、以下、同様に時系列に番組放送スケジュールが記載されている。
【０００８】
図７は、番組時刻表Ｔから作成されたイベントリストのテーブルＬであり、先頭の一番送出時刻の早いイベントＩＤ「Ａ１００」から送出時刻順にイベントＩＤをリストにしたテーブルになっているが、「１０：３０：００」のドラマは、番組素材送出装置が「ネット」として入力される素材ドラマであるが、後述の様な原因で番組時刻表Ｔでは偶々同じイベントのＩＤ「Ａ１００」が付与されている。
【０００９】
番組時刻表Ｔは、ＤＳ１から供給される時にイベントの実行時時系列に連なったイベントタイミングで並べられているがイベントリストのテーブルＬは、番組時刻表に従って処理手順の順番を時系列に並べてはいるものの、処理手順のステップを示すものであって、ＳＣＰは時刻情報を読み出したタイミングのデータで直接イベントを制御するものではない。
【００１０】
ＳＣＰ２００は、各装置へ予めイベント実行のタイミングに先立ち、イベントＩＤとそのＩＤに対応して再作成された各装置における詳細な各イベントに対応した処理タイミングデータを制御ネットワーク６を介して各素材送出装置５（＃１〜＃ｎ）やスイッチャ３へ入力している。
【００１１】
つまり、ＳＣＰ２００は、テーブルＬを参照してイベントを１つずつステップを踏んで順番に処理し、イベントの開始コマンドをそれぞれのイベントを実行する装置へ送信し、それぞれの装置は、予め入力されていたタイミングデータと内部時計とを参照することにより正確な動作タイミング制御をしている。
【００１２】
ＳＣＰ２００は、送出したイベントコマンドＩＤを一時記憶し、当該装置から制御ネットワーク６を介してそのイベントを実行したレスポンスを受信すると、テーブルＬを再び読み出して送出したコマンドＩＤをテーブルＬから削除し、削除したＩＤに続くイベントのＩＤを読み出して制御ネットワーク６へコマンドを出力する。
【００１３】
各イベントのＩＤは、先述の通りＤＳ１が付与しており、ＳＣＰ２００では従来管理していないのでＤＳ１からのイベントＩＤに誤り、特に図７の様に重複して同一のＩＤが使用されている場合、イベントが正しく実行出来ないエラーが発生する。即ち、重複したＩＤを持つイベントがあると先にテーブルＬに掲載されているイベントが終了すると、後の同じＩＤで示されたイベントが終了したと判断して、重複したＩＤに挟まれたイベント、図７では、Ａ１０１とＡ１０２のＩＤのイベントが実行されない誤動作が発生する。
【００１４】
終了したイベントを削除しないでテーブルＬを保持し、イベントＩＤの重複の有無を検索する方法も考えられるが、実際には複数のイベントが短いタイミング、例えば数秒で続く場合もあり検索中に次のイベント実行のコマンドを出さなければならず、間に合わなくなるので採用されていない。
【００１５】
重複したＩＤを避ける為に、収録素材に付与する素材ＩＤが既に使用された重複が無いかを確認してから、ＩＤを付与して素材をサーバに記憶蓄積するＩＤ管理方法がある（例えば、特許文献１。）。しかし、番組送出のイベントＩＤは、従来、電子情報システムの上位の装置であるＤＳ１から送付されるものであって、従来は、入力されるイベントＩＤが誤っているかどうかを番組送出制御装置（ＳＣＰ）が判断して管理するものでは無かった。
【００１６】
イベントＩＤが重複していることを確認する方法として、イベントが終了した時点でテーブルＬを監視して重複が無いかを検索し、重複がある場合、並んだ順番を調べることにより先に実行されるイベントデータを特定して、それに続くイベントを実行する様にしてイベントの実行抜けを防ぐ方法が考えられる。しかし、実際にはテーブルＬは、ＤＳ１から番組時刻表のテーブルＴが更新され、イベントの追加変更が時々刻々行われる為、テーブルＬに記載された内容が変わってしまい同じイベントＩＤのデータを継続して参照出来ない、また実行しているイベントのポインタ設定位置がテーブルＬが書き変わってしまうことによりずれてしまい検索が短時間で正しく実行出来ない等の事態が生じる。
【００１７】
最近は、異系列のネット局から供給されるコンテンツを放送する場合も有り、その場合別のネットのＤＳからは同じＩＤでイベントデータが入力される場合も生じており、重複ＩＤへの対応が課題となっている。
【特許文献１】特開平１０−２７６１５７号公報  （第７２頁、第１０図）
【発明の開示】
【発明が解決しようとする課題】
【００１８】
従来の番組送出の管理制御に係わる、各イベントのＩＤは、番組編成に係わるＤＳが付与しており、番組送出の制御を行うＳＣＰでは管理していなかったので、ＤＳからのイベントＩＤが重複して送付された場合、イベントを管理するテーブルＬに先の順番に掲載されているイベントの処理が終了すると、ＳＣＰは、後の順番に記載されている同じＩＤのイベントが終了したと判断して、重複したＩＤに挟まれたイベントが実行されない誤動作が発生する問題が有った。
【００１９】
本発明は、上記問題を解決するためになされたもので、番組送出制御装置（ＳＣＰ）に重複したＩＤを持つ異なったイベントが入力された場合でも、正しくイベントを実行出来るＳＣＰ、及び、送出制御方法を提供することを目的とする。
【課題を解決するための手段】
【００２０】
上記目的を達成するために、本発明の番組送出制御装置は、放送番組を電子情報システムの上位のデータサーバから入力される番組時刻情報に示される番組送出の制御に係わる各イベントの情報に基づき番組送出のイベント処理の制御を行う番組自動送出設備の番組送出制御装置（ＳＣＰ）において、入出力手段と、  前記入力される番組時刻情報から、前記各イベントのＩＤとそれに対応するイベントの実行時刻を読み出して先に実行するイベントから順に前記各イベントのＩＤを並べてイベントリストのテーブルを作成し、  前記テーブルを検索することにより前記イベントＩＤの重複の有無を調べ、重複している場合は、前記遅いもののＩＤをリネームしたテーブルに修正し、前記リネーム後のＩＤをアラーム表示した前記テーブルを前記入出力手段に表示すると共に前記テーブルを参照して前記並んだイベントのＩＤの早いもの順に前記イベント処理の制御を行う制御手段とを備えることを特徴とする。
【００２１】
また本発明の番組送出制御装置の送出制御方法は、入出力手段と制御手段とを備え、放送番組を電子情報システムの上位のデータサーバから入力される番組時刻情報に示される番組送出の制御に係わる各イベントの情報に基づき番組送出のイベント処理の制御を行う番組自動送出設備の番組送出制御装置（ＳＣＰ）の送出制御方法において、前記制御手段は、前記入力される番組時刻情報から、前記各イベントのＩＤとそれに対応するイベントの実行時刻を読み出して先に実行するイベントから順に前記各イベントのＩＤを並べてイベントリストのテーブルを作成し、前記テーブルを検索することにより前記イベントＩＤの重複の有無を調べ、重複している場合は、前記遅いもののＩＤをリネームしたテーブルに修正し、前記リネーム後のＩＤをアラーム表示した前記テーブルを前記入出力手段に表示すると共に前記テーブルを参照して前記並んだイベントのＩＤの早いもの順に前記イベント処理の制御を行うことを特徴とする。
【発明の効果】
【００２２】
本発明によれば、番組送出制御装置（ＳＣＰ）に重複したＩＤを持つ異なったイベントが入力された場合でも、正しくイベントを実行出来るＳＣＰ、及び、送出制御方法を提供することができる。
【発明を実施するための最良の形態】
【００２３】
以下、図面を参照して本発明の実施例を説明する。
【実施例】
【００２４】
図１は、放送局の番組送出制御を行うＡＰＣおよび、素材送出装置の動作を説明する機能ブロック図である。  
図１において、ＡＰＣ１０は、それぞれの間が制御ネットワーク６で接続されるＤＳ１、ＳＣＰ（Ｓｃｈｅｄｕｌｅ  Ｃｏｎｔｒｏｌ  Ｐｒｏｃｅｓｓｏｒ、または、番組送出制御装置）２、スイッチャ３、ＳＣＰ２やスイッチャ３等の制御コマンドの入力や動作をモニタするＡＰＣの監視制御卓７で構成される。そして、スイッチャ３と、スイッチャ３に接続される素材伝送ネットワーク４を介して各種の素材（コンテンツ）を入出力する素材送出装置５（＃１〜＃ｎ）の動作をＳＣＰ２が制御ネットワーク６を介してコマンドやデータを入出力することにより制御管理する。
【００２５】
ＳＣＰ２には、制御ネットワーク６、又は、内部バスもしくは、専用インタフェース等により、ＳＣＰ２の制御するイベントデータ等の制御データを表示及び、修正、編集等を行うキーボード等の入力手段、及びディスプレイからなる入出力手段２２が接続される。入出力手段２２は、パーソナルコンピュータの様な情報端末であっても良いし、または、監視制御卓７が兼ねるものであっても良い。
【００２６】
ＳＣＰ２は、ＤＳ１から制御ネットワーク６を介して番組を構成する素材（コンテンツ）とそのコンテンツを送出する素材送出装置５（＃１〜＃ｎ）およびコンテンツの放送予定時刻を含んだ番組送出管理データからなる番組時刻情報を受信する。この供給された番組時刻情報は、原則として、１つの作業手順、即ち、イベント情報単位で構成される。
【００２７】
図２は、ＳＣＰ２および入出力手段２２の動作処理を説明する機能ブロック図、図３は、ＳＣＰ２に入力される番組時刻情報から作成されたイベントリストのテーブルＲＴの一例、図４は、テーブルＲＴを作成しイベントを管理して番組素材を送出するＳＣＰの処理手順を説明するフローチャートである。  
以下図１〜図４を参照して番組送出制御装置の動作を説明する。  
図２において、ＳＣＰ２は、内部バスでそれぞれの間が接続されるＣＰＵ２４、メモリ２１、通信ＩＦ（インタフェース）２３、内部時計２５を備え、ディスプレイ、キーボード等の入出力手段２２が付属している。
【００２８】
ＣＰＵ２４は、通信ＩＦ２３により制御ネットワーク６との間で、イベントに係わるコマンド、モニタおよびデータ始め番組素材を入出力する機器、装置の制御、モニタに関する情報を入出力する。また、ＤＳ１から図６に示される番組時刻表Ｔを構成する番組時刻情報を受信し、メモリ２１に番組時刻表Ｔを記憶すると共に、イベントをリスト化した図３に示されるテーブルＲＴを作成して書込記憶する。
【００２９】
イベントをリスト化したテーブルＲＴを作成するに当たり、ＣＰＵ２４は、従来同様、受信した番組時刻表Ｔからイベントをリスト化した図７に示されるテーブルＬを作成し、イベントのＩＤに重複があるかないかを調べ、重複を見つけた場合に、重複したＩＤの内一方をリネームしてＩＤが重複しないように修正したテーブルＲＴを作成して、メモリ２１に書込記憶する。
【００３０】
即ち、図２において、番組時刻情報が番組時刻表Ｔによって、制御ネットワーク６と通信ＩＦ２３とを介してＤＳ１から番組放送開始時刻等各イベントの実行時刻（タイミング）とそれに続く固有のイベントの識別番号ＩＤとが対になってＳＣＰ２に入力される（図４のステップｓ１）。
【００３１】
なお、図６と図７との間ではテーブルＬを番組時刻表Ｔの記載を単純に並べ替えているが、番組時刻表Ｔに記されたイベントは、最終的に放送される場合の目安となる時刻であり、ＳＣＰ２は、スタンバイのイベント追加も含め更に詳細なタイミングで各素材送出装置５（＃１〜＃ｎ）やスイッチャ３等を制御する処理手順のイベントリストのテーブルＬを生成する（ステップｓ２）。ここまでのＳＣＰ２のＣＰＵ２４が実行する処理手順は従来と同様である。
【００３２】
そして、ＣＰＵ２４は更に生成したテーブルＬを直ちに検索し同一イベントＩＤの有無を調べて（ステップｓ２−１）重複が無ければ（ステップｓ３がＮｏ）さらに詳細なタイミングや、番組時刻表には記されていないスタジオ内部の装置に対する補助的なイベントを更に追加したテーブルＬを新たなイベントリストのテーブルＲＴにしてメモリ２１に書込記憶する（ステップｓ４）。
【００３３】
なお、図３では、表現の頻雑を避ける為、テーブルＬとテーブルＲＴとのリスト内容を上記の番組時刻表Ｔに対する追加や詳細を反映せずに同じ表記にしている。
【００３４】
そして、この生成されたテーブルＲＴに記載された各イベントのデータは、その該当装置に制御ネットワーク６を介して予め送信され（ステップｓ５）、各機器は、イベント実施のコマンドが同様にＳＣＰ２から制御ネットワーク６を介して送信されるのを待つ。
【００３５】
また、ＣＰＵ２４は、イベントのポインタをテーブルＲＴの先頭「Ａ１００」に合わせて、内部時計を参照して「１０：００：００」になると「Ａ１００」のイベントを実行するコマンドを制御ネットワーク６へ出力（ステップｓ６）し、続いてテーブルＲＴから「Ａ１００」を削除してテーブルＲＴの次の「Ａ１０１」にポインタを合わせる（ステップｓ６―１）。
【００３６】
一方、重複があった（ステップｓ３がＹｅｓ）場合、ここでは、図７のテーブルＬの「Ａ１００」のイベントのＩＤが「１０：００：００」と「１０：３０：００」の２回で使用されており、素材送出装置が、「＠ニューススタジオ」と「ネット」とで異なっている。ＣＰＵ２４は、後の「１０：３０：００」に実行されるイベントのＩＤを「Ａ１００」から「Ａ１００ＲＸ」にリネームする（ステップｓ７）。
【００３７】
そして、イベントＩＤを「Ａ１００ＲＸ」に修正したテーブルＲＴを作成してメモリ２１に書込記憶する（ステップｓ７−１）と共に、リネームしたイベントＩＤ「Ａ１００ＲＸ」を、例えば、反転表示や警報色でアラーム表示したテーブルＲＴを入出力手段２２のディスプレイに表示する（ステップｓ８）事によりオペレータへアラームを通知する。
【００３８】
オペレータは、このアラームにより、ディスプレイでイベントＩＤが「Ａ１００ＲＸ」にリネームされたことを確認し、変更確認を例えば、キーボードから「Ｙ」、「Ｅｎｔｅｒ」を入力して行う。ＣＰＵ２４は、この確認を検出する（ステップｓ９がＹｅｓ）と反転表示を停止し（ステップｓ９−１）テーブルＲＴに記載されたイベントデータを対象となる機器、装置へ通信ＩＦ２３と制御ネットワーク６とを介して送信（ステップｓ５）する。
【００３９】
そして、イベントのポインタをテーブルＲＴの先頭「Ａ１００」に合わせて、内部時計を参照して「１０：００：００」になるとイベントを実行するコマンドを制御ネットワーク６へ出力（ステップｓ６）する通常と同様の処理手順を実行する。更にそれに続く、「Ａ１０１」、「Ａ１０２」のイベント処理が実行された後、「Ａ１００ＲＸ」のイベントが処理される、即ち、「１０：３０：００」にドラマが、ネットから送出される。
【００４０】
重複が有った場合にリネームする場合に付加された「ＲＸ」は、リネームを意味する記号であり、この重複の修正処理を行うことにより、従来で有れば、始めの「Ａ１００」が実行された後は、ポインタが誤って後ろの「Ａ１００」に合わせられ、それが消去されることにより「Ａ１０３」のイベントへ飛んでしまう誤動作を防ぐ事が可能になる。
【００４１】
また、「ＲＸ」の記号を付加することによりリネームをしたＩＤが後に判別出来ると共に、反転表示、色、点滅等の通常箇所と異なる表示形態を採ったアラーム表示によりオペレータへの視認性を向上させている。
【００４２】
なお、上記手順では、オペレータによる確認作業が有った後、アラーム表示（ここでは、反転表示）を停止してから「Ａ１００」の実行に入っているが、オペレータの確認入力が無い場合でも、重複による誤動作を防ぐ為にＣＰＵ２４が内部時計２５を参照することにより所定の時間、例えば、２秒が経過すると上記同様にイベント処理が行われる様にしても良い。
【００４３】
また、もし、この反転表示を受信したオペレータが更にイベント処理順序を変えることが必要であると判断した場合（ステップｓ９がＮｏ）は、所定の手順によりコマンドやデータを入出力手段２２から入力することにより、例えば、別に正しいイベントＩＤが準備されていれば、そのＩＤに修正する等のイベント処理を変更する（ステップｓ９―２）。
【００４４】
以上説明した如く本発明の実施例の番組送出制御装置（ＳＣＰ）は、ＤＳから入力されるイベントＩＤの重複を検出した場合、ＩＤが重複しない様にＩＤをリネームして修正することにより、上位装置のエラー、または、異なったネット系列間のシステム上の不整合を修正して番組素材の誤送出を防ぐ事が可能である。
【図面の簡単な説明】
【００４５】
【図１】本発明の実施例に係わり放送局の番組送出制御を行うＡＰＣおよび、素材送出装置の動作を説明する機能ブロック図。
【図２】ＳＣＰおよび入出力手段の動作処理を説明する機能ブロック図。
【図３】ＳＣＰ２に入力される番組時刻情報から作成されたイベントリストのテーブルＲＴの一例。
【図４】ＳＣＰのイベント制御に係わる処理手順を説明するフローチャート。
【図５】従来の放送局の番組送出制御を行うＡＰＣおよび、素材送出設備の動作を説明する機能ブロック図。
【図６】ＳＣＰに入力される番組時刻表の例。
【図７】番組時刻表ＴからＳＣＰ２０が生成したイベントリストのテーブルの例。
【符号の説明】
【００４６】
１  ＤＳ（データサーバ）
１０  ＡＰＣ
２  ＳＣＰ（番組送出制御装置）
２１  メモリ
２２  入出力手段
２３  通信ＩＦ
２４  ＣＰＵ
３  スイッチャ
４  素材伝送ネットワーク
５  素座宇送出装置
６  制御ネットワーク
７  監視制御卓
ＲＴ  テーブル
Ｔ  番組時刻表
【図１】
2009182610.tif 000003
【図２】
2009182610.tif 000004
【図３】
2009182610.tif 000005
【図４】
2009182610.tif 000006
【図５】
2009182610.tif 000007
【図６】
2009182610.tif 000008
【図７】
2009182610.tif 000009